(57)【要約】      （修正有）【課題】  小中学生等の利用者が安全な経路を選択し、学校や自宅等といった目的地に安全かつ効率良く到達できる様に、経路の選択を支援することが可能な技術を提供する。【解決手段】  利用者の携帯する記録媒体から利用者ＩＤを読み取り装置により読み取り、その装置に設定されている地点ＩＤを記憶装置により読み出すステップと、前記地点ＩＤで識別される地点における回避地点に対する距離に応じて算出したポイントを時間経過に応じて算出し、その算出したポイントを前記利用者ＩＤに対応する累積ポイントへ累積して記憶装置へ格納するステップと、前記地点ＩＤで識別される地点の周辺に位置する地点のポイントを示す周辺ポイントと前記累積ポイントに対応するインセンティブ画像を記憶装置により読み出すステップと、前記取得した周辺ポイント及びインセンティブ画像を示す画面表示情報を出力装置により出力するステップとを有するものである。【選択図】図１
2007192549.tif 000002
【特許請求の範囲】
【請求項１】
所定の地点を回避する経路の選択を支援するインセンティブ付き経路支援方法において、
利用者の携帯する記録媒体から利用者ＩＤを読み取り装置により読み取り、その利用者ＩＤと前記読み取りを行った装置に設定されている地点ＩＤを記憶装置により読み出すステップと、
前記地点ＩＤで識別される地点における回避地点に対する距離に応じて算出したポイントを時間経過に応じて算出し、その算出したポイントを前記利用者ＩＤに対応する累積ポイントへ累積して記憶装置へ格納するステップと、
前記地点ＩＤで識別される地点の周辺に位置する地点のポイントを示す周辺ポイントと前記累積ポイントに対応するインセンティブ画像を記憶装置により読み出すステップと、
前記取得した周辺ポイント及びインセンティブ画像を示す画面表示情報を出力装置により出力するステップとを有することを特徴とするインセンティブ付き経路支援方法。
【請求項２】
前記算出するポイントの値を利用者毎に個別に指定された個別指定地点の情報に応じて変更することを特徴とする請求項１に記載されたインセンティブ付き経路支援方法。
【請求項３】
利用者の通過履歴を記憶装置に保持し、必要に応じて利用者個人の通過情報を提供することを特徴とする請求項１または請求項２のいずれかに記載されたインセンティブ付き経路支援方法。
【請求項４】
前記算出するポイントの値を特定の地点からの距離に応じて変更することを特徴とする請求項１乃至請求項３のいずれか１項に記載されたインセンティブ付き経路支援方法。
【請求項５】
前記算出するポイントの値を、目的地の地点からの距離が短くなるにつれて高くなる様に変更することを特徴とする請求項１乃至請求項４のいずれか１項に記載されたインセンティブ付き経路支援方法。
【発明の詳細な説明】
【技術分野】
【０００１】
本発明は利用者にとって安全な経路を規定し、個人の識別可能な利用者カード等を指定箇所のリーダーに接触（或いは通信）させてポイントを貯めることにより経路の選択を支援するインセンティブ付き経路支援技術に関し、特に利用者にとって危険であるとされる箇所を回避させ、通過を推奨する箇所に積極的に誘導するインセンティブ付き経路支援技術に関するものである。
【背景技術】
【０００２】
現在、子供の見守りや、小中学生の登下校時において安全性を確保する必要性が高まっており、その為の各種システムが開発されている。例えば、ある利用者の通学路上に危険な箇所が発生した場合、その利用者を安全な経路に誘導する必要があるが、その様な場合の経路探索方法としては、地図データを用いて経路探索を行う際に、任意の登録者により登録されたポイントに基づいてリンクコストを変更して通行制御を行うものがある（例えば特許文献１参照）。
【０００３】
【特許文献１】特開２００４−３５４２９２号公報
【発明の開示】
【発明が解決しようとする課題】
【０００４】
前記従来の技術における問題は大まかに次の３点である。第１に、前記従来の技術では、任意の登録者により登録されたポイントに基づいてリンクコストを変更して通行制御を行なうが、この通行制御は、システムの全利用者に対して適用されるものであり、個人の都合は反映されない。第２に、回避すべき箇所は経過時間によって変化するものだが、前記従来技術におけるリンクコストは場所に対してのみ設定されているので、時間の経過による危険箇所の変化に対応できない。第３に、回避する為に設定した危険箇所に対して、その周辺の地域に波及する危険な要素（例えば不審者の出没箇所を危険個所とした場合にその不審者が移動することにより危険個所が周辺に広がるという危険性）についての考慮がなされない。また、通過を奨励する箇所についても別々に目的地と同様な設定がされるため、経路の最終目的地への誘導が出来にくい。
【０００５】
本発明の目的は上記問題を解決し、小中学生等の利用者にとって回避すべき危険な箇所を避け、通過を促進させたい箇所に積極誘導をすることで、小中学生等の利用者が安全な経路を選択し、学校や自宅等といった目的地に安全かつ効率良く到達できる様に、経路の選択を支援することが可能な技術を提供することにある。
【課題を解決するための手段】
【０００６】
本発明は、所定の地点を回避する経路の選択を支援するインセンティブ付き経路支援システムにおいて、経路上の各地点について回避地点との距離に応じて算出したポイントを設定し、周辺地点のポイントと累積ポイントに応じたインセンティブ画像を表示するものである。
【０００７】
上述の課題を解消する為に、本発明では、以下の構成を採用した。すなわち、本発明の第１の構成として、システムの全利用者に対して効力を発揮する回避箇所の設定と、設定した利用者のみに効力を発揮する回避箇所を分けた構成にした。また、利用者個人の事情を考慮できる様に、設定した利用者のみに効力を発揮する経路の通過を推奨できる構成とした。第２の構成として、回避すべき要因となる事故や不審者出没等の事件は時間経過と共に対応を変化させる必要があるので、時間の経過によって危険箇所の優先度を下げられる構成とした。第３の構成として、危険であると認定された箇所だけでなく、その周辺に対しても同心円状に付加ポイント数の変化量を反映させることで、周辺に及ぶ危険度合をポイント数で反映させる構成とした。
【０００８】
つまり本発明のインセンティブ付き経路支援システムでは、まず街頭情報提供装置が利用者の利用者カードを検出すると、その利用者の携帯する利用者カード等の記録媒体から利用者ＩＤを読み取り装置により読み取り、その利用者ＩＤと前記読み取りを行った街頭情報提供装置に設定されている地点ＩＤを通信装置により情報処理装置へ送信する。
【０００９】
街頭情報提供装置から利用者ＩＤと地点ＩＤを受信した情報処理装置では、その地点ＩＤで識別される地点における回避地点に対する距離に応じて算出したポイントを時間経過に応じて算出し、その算出したポイントを前記利用者ＩＤに対応する累積ポイントへ累積して記憶装置へ格納する。
【００１０】
そして、前記地点ＩＤで識別される地点の周辺に位置する地点のポイントを示す周辺ポイントと前記累積ポイントに対応するインセンティブ画像を記憶装置から読み出した後、その取得した周辺ポイント及びインセンティブ画像を示す画面表示情報を街頭情報提供装置へ送信し、街頭情報提供装置では、その画像表示情報を出力装置により出力する。
【発明の効果】
【００１１】
本発明によれば、小中学生等の利用者にとって回避すべき危険な箇所を避け、通過を促進させたい箇所に積極誘導をすることで、小中学生等の利用者が安全な経路を選択し、学校や自宅等といった目的地に安全かつ効率良く到達できる様に、経路の選択を支援することが可能である。
【発明を実施するための最良の形態】
【００１２】
以下に所定の地点を回避する経路の選択を支援する一実施形態のインセンティブ付き経路支援システムについて説明する。
【００１３】
まず、本実施形態の概要を説明する。
利用者は、個人を識別する為の利用者ＩＤを格納した利用者カードを持ち、本システムの対象範囲となる地域の全ての交差点に設置されたモニタ付き街頭情報提供装置を通過する度に、モニタ付き街頭情報提供装置に設置されているリーダーへカードをかざし、ポイントを貯める。モニタ付き街頭情報提供装置は、利用者がカードをかざす度に、利用者の累積ポイント数及び利用者個人が予め設定してあるインセンティブのコースに基づいた画像を表示させる。そしてモニタ付き街頭情報提供装置は、利用者の目指す目的地に対して、危険な箇所を避け、かつ近距離等の理由により推奨される経路を、付加ポイント数に差を付けて表示することによって、利用者の経路設定を支援する。
【００１４】
以下、本実施形態によるインセンティブ付き経路支援システム１０００の実施形態を、図面により詳細に説明する。
【００１５】
図１は本実施形態のインセンティブ付き経路支援システムの概略構成を示す図である。図１に示す様に本実施形態のインセンティブ付き経路支援システム１０００は、利用者カード１００１と、登録者端末２００１と、モニタ付き街頭情報提供装置３００１と、情報処理装置４００１とから構成されている。登録者端末２００１と、表示画面とリーダーを持つモニタ付き街頭情報提供装置３００１と、情報処理装置４００１とは、インターネットIN５００１を介して接続され、各種データ交換を行なう。
【００１６】
図２は本実施形態のインセンティブ付き経路支援システム１０００における利用シーンのイメージを示す図である。図２の様に本実施形態では、回避すべき危険箇所の周囲にあるリーダーにおける付加ポイントをマイナスに設定し、利用者の通過を避けさせることで、安全かつ本来の目的地にとって最適な経路へと誘導する。
【００１７】
図３は本実施形態のモニタ付き街頭情報提供装置３００１における画面の表示例を示す図である。利用者がモニタ付き街頭情報提供装置３００１に利用者カード１００１をかざすと、図３の画面が表示される。
【００１８】
図３に示す様に画面の表示部３０１に利用者のニックネームが表示され、表示部３０２に利用者の最新累積ポイント数が表示される。また、表示部３０３には利用者が予め設定したインセンティブコースにしたがって、取得した累積ポイント数に応じたインセンティブ画像が表示される。表示部３０４には、利用者の現在地を中心とした地図が表示され、各交差点につきモニタ付き街頭情報提供装置３００１の設置場所と付加ポイント数が表示される。これにより、周辺の地点における付加ポイント数を見て、利用者は経路を選択することができる。なお、表示部３０４には地図の拡大及び縮小する機能があっても良い。
【００１９】
図４は本実施形態のモニタ付き街頭情報提供装置３００１の設置イメージを示す図である。本インセンティブ付き経路支援システム１０００の対象範囲となった地域の全ての交差点に対し、モニタ付き街頭情報提供装置３００１が設置され、各モニタ付き街頭情報提供装置３００１について、表示例４０１の様にユニークな地点ＩＤ１３０１が設定される。
【００２０】
図５〜１１は、本実施形態を実施した場合の処理手順を示すフロー図である。図１２〜２１は、情報処理装置４００１における各種ＤＢの構成要素である。
【００２１】
次に、図１の詳細な説明を行なう。図１において、利用者カード１００１は、利用者をユニークに識別する為の利用者ＩＤを格納して管理する利用者ＩＤ管理部１００２を持つ。利用者カード１００１は、非接触型ＩＣタグ付きのカードや、ＲＦＩＤタグ付きの携帯電話、ＰＨＳやＰＤＡ等であっても良く、非接触ＩＣタグは、パッシブ型を用いても、アクティブ型を用いても良い。また利用者カード１００１はＩＣチップ付き携帯電話、ＩＣカード付きクレジットカード等でも良い。
【００２２】
登録者端末２００１は、ＰＣ、携帯電話、携帯端末等であって良く、内部に制御部２００２、表示部２００３を持ち、入力部２００５によって登録された利用者情報や外部情報等を、通信部２００４を介して情報処理装置４００１へ送信する。
【００２３】
情報処理装置４００１は、サーバ計算機、ＰＣ等であって良く、通信部４００２、処理部４００３、制御部４００４を有する。なお、情報処理装置４００１の磁気ディスク等による二次記憶装置上には、外部情報ＤＢ４０１０、地図ＤＢ４０１５、利用者情報ＤＢ４０２０、通過履歴ＤＢ４０２５、インセンティブコースＤＢ４０３０、一時計算ＤＢ４０３５、最短地点加算ＤＢ４０４０、指定地点減算ＤＢ４０４５、日時換算ＤＢ４０５０が格納される。前述した各ＤＢは、登録者端末２００１からの利用者情報登録時や、モニタ付き街頭情報提供装置３００１からの情報受信時等の、後述する各システムによってアクセスされる。
【００２４】
モニタ付き街頭情報提供装置３００１は、表示画面付き外灯、電子掲示板等であって良く、制御部３００２を持ち、リーダー３００４で利用者カード１００１から利用者ＩＤ管理部１００２を取得し、地点ＩＤ管理部３００６で管理している地点ＩＤと利用者カード１００１より取得した利用者ＩＤ管理部１００２を、通信部３００５を介して情報処理装置４００１へ送信する。また、情報処理装置４００１にて計算された取得情報（ポイント数やインセンティブ画像、周辺ポイント等）を、表示部３００３にて表示する。
【００２５】
インターネットIN５００１は、ネットワーク、公衆通信網等であって良く、また、登録者端末２００１は、無線LAN等を介してインターネットIN５００１に接続されていて良い。
【００２６】
図１に示すシステムは、登録者端末２００１とモニタ付き街頭情報提供装置３００１と情報処理装置４００１とを独立して備える構成として示しているが、本実施形態は、これらの装置を１つの計算機内に構成することもできる。
【００２７】
また本実施形態において、各装置において経路支援の為の処理を実行する前記制御部として計算機を機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００２８】
また前記計算機は、前記制御部として当該計算機を機能させる為のプログラムやＯＳ等の処理を実行するＣＰＵ、前記プログラムをロードしたり実行時のデータを一時的に格納するメモリ、それらのプログラムやＤＢの情報を格納する磁気ディスク装置、操作指示やデータ等の入力を受け付ける入力装置、各種情報の出力等を行う出力装置、他の計算機との通信を行う通信装置等のハードウェア資源を備えているものとする。
【００２９】
以降では、情報処理装置４００１に格納されている、図１２〜２１の各ＤＢのデータ構成について説明する。
【００３０】
次に、本インセンティブ付き経路支援システムに必要となる各種ＤＢの構成について、図１２〜２１のＤＢ構成図を用いて説明する。
【００３１】
図１２は本実施形態の外部情報ＤＢ４０１０の例を示す図である。図１２では、外部情報ＤＢ４０１０のデータ例を表しており、図１の登録者端末２００１より送信される、交通事故や不審者目撃情報等の外部情報を格納する。
【００３２】
なお、外部情報ＤＢ４０１０は、外部情報ＩＤ１２０１、発生日時１２０２、発生曜日１２０３、回避理由１２０４、地点ＩＤ１２０５、回避曜日１２０６、回避時間帯１２０７、回避対象者１２０８等を記述した複数のレコードによって構成される。
【００３３】
そして外部情報ＩＤ１２０１は外部情報を識別する為のＩＤ、発生日時１２０２には、事件が発生した年月日及び発生時刻の情報が格納される。発生曜日１２０３には、事件が発生した曜日の情報が格納される。回避理由１２０４には、不審者出没や繁華街等の回避理由情報が格納される。地点ＩＤ１２０５には、地図ＤＢ４０１５に格納されている地点ＩＤの中で、該当箇所に最も近い地点ＩＤが選択され、格納される。回避曜日１２０６には、回避すべき曜日の情報が格納される。回避時間帯１２０７は、回避すべき時間帯の情報が格納される。回避対象者１２０８は、回避すべき対象者の学年の情報が格納される。
【００３４】
図１３は本実施形態の地図ＤＢ４０１５の例を示す図である。図１３では、地図ＤＢ４０１５のデータ例を表しており、本実施形態における地図情報が格納される。
【００３５】
地図情報は、図４のモニタ付き街頭情報提供装置３００１の設置イメージ図の様に、全ての交差点に対して任意に振られた地点ＩＤ１３０１、緯度１３０２、経度１３０３、車線数１３０４、歩道の有無１３０５を記述した複数のレコードによって構成される。
【００３６】
図１４は本実施形態の利用者情報ＤＢ４０２０の例を示す図である。図１４では、利用者情報ＤＢ４０２０のデータ例を表しており、図１の登録者端末２００１より入力される、利用者ＩＤ１４０１、氏名１４０２、パスワード１４０３、ニックネーム１４０４、学年１４０５、性別１４０６、連絡先１４０７、個別指定地点１４０９（推奨地点１４０８、回避地点１４１０）、インセンティブコースＩＤ１４１１、開始・終了地点ＩＤ１４１３（学校１４１２、自宅１４１４）から成る利用者情報を格納する複数のレコードによって構成される。
【００３７】
利用者ＩＤ１４０１には、利用者カード１００１に格納されている利用者ＩＤ管理部１００２の情報が格納される。氏名１４０２には、利用者の氏名情報がフルネームで格納される。パスワード１４０３には、利用者情報を変更する際に必要となるので、利用者もしくは利用者の保護者等が任意に定めたパスワード情報が格納される。
【００３８】
ニックネーム１４０４には、利用者が利用者カード１００１をモニタ付き街頭情報提供装置３００１にかざした際、モニタ付き街頭情報提供装置３００１の表示部３００３にて表示される為の、利用者もしくは利用者の保護者等が任意に定めたニックネーム情報が格納される。学年１４０５には、利用者の学年情報が格納される。性別１４０６には、利用者の性別情報が格納される。連絡先１４０７には、利用者の緊急連絡先情報が格納される。図１４では、連絡先１４０７には電話番号が格納されているが、電話番号以外にもメールアドレスやＦＡＸ番号等を格納しても良い。
【００３９】
また、個別指定地点１４０９には、地図ＤＢ４０１５に格納されている地点ＩＤ１３０１の中から、利用者もしくは利用者の保護者等が任意に定めた推奨地点１４０８と回避地点１４１０の情報が格納される。推奨地点１４０８に登録された地点ＩＤを利用者が通過すると自動的にポイントが加算され、回避地点１４１０に登録された地点ＩＤを利用者が通過すると自動的にポイントが減算される。個別指定地点１４０９は利用者もしくは利用者の保護者等が必要なければ登録しなくても良い。
【００４０】
そして、インセンティブコースＩＤ１４１１には、利用者が選択したインセンティブコース情報が格納される。インセンティブコース情報は、インセンティブコースＤＢ４０３０に格納されている複数のインセンティブコースＩＤ１６０１から成る。利用者がモニタ付き街頭情報提供装置３００１に利用者カード１００１をかざすたびに、取得されるポイントの累積数に即して、利用者が予め指定したインセンティブコースＩＤの画像が表示される。
【００４１】
開始・終了地点ＩＤ１４１３には、利用者の通学する学校に最も近い地点ＩＤが学校１４１２に、利用者の自宅に最も近い地点ＩＤが自宅１４１４に格納される。地図ＤＢ４０１５に格納されている地点ＩＤ１３０１の中から、学校と自宅のそれぞれに最も近い地点ＩＤ１３０１が自動的に入力されても良いし、また、利用者もしくは利用者の保護者等が任意に登録しても良い。
【００４２】
図１５は本実施形態の通過履歴ＤＢ４０２５の例を示す図である。図１５では、通過履歴ＤＢ４０２５のデータ例を表しており、利用者が利用者カード１００１をモニタ付き街頭情報提供装置３００１へかざすことで蓄積される通過履歴情報が格納される。
【００４３】
通過履歴情報は、利用者ＩＤ１５０１、モニタ付き街頭情報提供装置３００１の地点ＩＤ管理部３００６に格納されている地点ＩＤ１５０２、通過日時１５０３、算出されたポイント付加数１５０４、利用者の累積ポイント数１５０５から成る利用者情報を格納する複数のレコードによって構成される。
【００４４】
図１６は本実施形態のインセンティブコースＤＢ４０３０の例を示す図である。図１６では、インセンティブコースＤＢ４０３０のデータ例を表しており、インセンティブコースを識別する為のインセンティブコースＩＤ１６０１、インセンティブコース名１６０２、利用者が取得したポイントの累積数によって異なる画像データを記述したインセンティブ内容及びポイント数１６０６の複数のレコードによって構成される。
【００４５】
図１７は本実施形態の一時計算ＤＢ４０３５の例を示す図である。図１７では、一時計算ＤＢ４０３５のデータ例を表しており、利用者を識別する為の利用者ＩＤ１７０１、及び利用者の通過日時１７０２、全地点ＩＤにおける通過時のポイント算出結果を一時的に格納する、各地点におけるポイント数１７０６の複数のレコードによって構成される。
【００４６】
図１８は本実施形態の最短地点加算ＤＢ４０４０の例を示す図である。図１８では、最短地点加算ＤＢ４０４０のデータ例を表しており、現在地点から周囲の地点ＩＤまでの複数の地点間の距離を定義した、地点ＩＤ間の直線距離１８０１及び直線距離に応じた加算ポイント１８０２を記述した複数のレコードによって構成される。
【００４７】
図１９は本実施形態の指定地点減算ＤＢ４０４５の例を示す図である。図１９では、指定地点減算ＤＢ４０４５のデータ例を表しており、回避地点から地点ＩＤまでの距離１９０１及び不審者１９０２、交通量増大１９０３、繁華街１９０５、溜池等１９０６、ひったくり１９０７等の回避理由１９０４に応じて減算するポイント数を記述した複数のレコードによって構成される。
【００４８】
図２０は本実施形態の日時換算ＤＢ４０５０の例を示す図である。図２０では、日時換算ＤＢ４０５０のデータ例を表しており、回避理由２０１１及び図１２の外部情報ＤＢ４０１０における発生日時１２０２からの経過日数に応じて減算処理ポイント数を減算する減算割合２０１５を記述した複数のレコードによって構成される。なお、情報処理装置４００１では、日時換算ＤＢ４０５０と図１２の外部情報ＤＢ４０１０と、図１９の指定地点減算ＤＢ４０４５に格納されている情報を全て参照して、ポイントの減算処理を行なう。
【００４９】
図２１は本実施形態の目的地誘導ＤＢ４０５５の例を示す図である。図２１では、目的地誘導ＤＢ４０５５のデータ例を表しており、利用者を目的地まで積極的に誘導する為に必要な、ポイント加算の割合の情報が格納されている。スタート地点ＩＤからゴール地点ＩＤまでの距離２１０１、及びポイント加算の割合２１０２の複数のレコードによって構成される。
【００５０】
次に、図１に示すシステムでの各種の処理動作について、図２に示す危険箇所回避イメージ、図３に示す画面表示イメージ図、図４に示す地点ＩＤの設定イメージ図及び図１２〜２１に示したＤＢの構成を参照しながら、図５〜１１の処理フローについて説明する。
【００５１】
図５は本実施形態の新規利用者の利用者情報を利用者情報ＤＢ４０２０へ登録する為の処理手順を示すフローチャートである。図５では、登録者端末２００１及び情報処理装置４００１が実行する、新規利用者の利用者情報を利用者情報ＤＢ４０２０へ登録する為の処理手順の概要を表しており、まず、これについて説明する。
【００５２】
（１）まず、登録者端末２００１は、表示部２００３にて、本実施形態のインセンティブ付き経路支援システム１０００の利用者情報を登録する為の利用者登録画面を表示する（ステップ５０１）。
【００５３】
（２）次に登録者端末２００１は、利用者もしくは利用者の保護者から入力される利用者情報を受け付ける。利用者情報として、利用者カード１００１に格納されている利用者ＩＤ１４０１、利用者の氏名１４０２、登録内容の変更・消去時等に必要となる任意のパスワード１４０３、モニタ付き街頭情報提供装置３００１の表示部３００３に表示する為に設定する任意のニックネーム１４０４、利用者の学年１４０５、利用者の性別１４０６、利用者の緊急連絡先１４０７を入力し、希望するインセンティブコースを選択する。
【００５４】
更に、個別に通過を推奨したい地点と回避したい地点があれば、地図ＤＢ４０１５に格納されている地点ＩＤを参照し、個別指定地点１４０９を任意で登録する。個別に指定した推奨地点１４０８は一定のポイント数が自動で加算される。同様に個別に指定した回避地点１４１０も一定のポイント数が自動で減算される。
【００５５】
（３）登録者端末２００１は通信部２００４を介して登録された利用者情報を情報処理装置４００１へ送信する（ステップ５０３）。
【００５６】
（４）情報処理装置４００１の処理部４００３は、通信部４００２を介して受信した利用者情報を利用者情報ＤＢ４０２０へ登録する（ステップ５０４）。
【００５７】
図６は本実施形態の新規の外部情報を外部情報ＤＢ４０１０へ登録する為の処理手順を示すフローチャートである。図６では、登録者端末２００１及び情報処理装置４００１が実行する、新規の外部情報を外部情報ＤＢ４０１０へ登録する為の処理手順の概要を表しており、これについて説明する。
【００５８】
（１）まず、登録者端末２００１は表示部２００３にて、本実施形態のインセンティブ付き経路支援システム１０００の外部情報を登録する為の外部情報登録画面を表示する（ステップ６０１）。
【００５９】
（２）次に登録者端末２００１は、本インセンティブ付き経路支援システム１０００のシステムを管理する者、利用者の保護者、もしくは、外部の警察のサーバ等から入力される、事故発生情報等の外部情報の入力を受け付ける。外部情報とは、本インセンティブ付き経路支援システム１０００の管理する地域において、利用者に通行を回避させる要因となる様な、危険な事故や事件及びその誘因となる情報のことである。まず、その外部情報を識別する為の外部情報ＩＤ１２０１が自動で入力される。また、回避させる要因となる事件や事故等の発生日時１２０２、発生曜日１２０３、及び不審者出没等の回避理由１２０４について自動入力する、または人手により入力された情報を受け付けても良い。続いて、地図ＤＢ４０１５を参照し、回避すべき場所に最も近い地点ＩＤ１３０１が自動で入力される（ステップ６０２）。
【００６０】
（３）次に登録者端末２００１は、本インセンティブ付き経路支援システム１０００を管理するシステム管理者、もしくは、利用者の保護者等から入力される回避情報の入力を受け付ける。回避情報とは、どの利用者をどの様な条件で回避させるかを指定する情報のことである。登録者端末２００１は、システム管理者もしくは利用者の保護者等から入力される利用者の通行を回避させたい回避曜日１２０６、回避時間帯１２０７、回避対象者１２０８の情報を受け付ける。これらの回避情報は必ず人によって判断され、入力されたものを情報処理装置４００１が受け付ける（ステップ６０３）。
【００６１】
（４）登録者端末２００１は、通信部２００４を介して、入力された利用者情報を情報処理装置４００１へ送信する（ステップ６０４）。
【００６２】
（５）情報処理装置４００１の処理部４００３は、通信部４００２を介して受信した利用者情報を利用者情報ＤＢ４０２０へ登録する（ステップ６０５）。
【００６３】
図７は本実施形態のポイント表示処理の処理手順を示すフローチャートである。図７では、モニタ付き街頭情報提供装置３００１及び情報処理装置４００１が実行する、ポイント表示処理手順の概要を表している。利用者がモニタ付き街頭情報提供装置３００１を設置した箇所を通過する際に必ず行なわれる処理であり、これについて説明する。
【００６４】
（１）まず、利用者カード１００１は、利用者によって、モニタ付き街頭情報提供装置３００１のリーダー３００４にかざされる（ステップ７０１）。
【００６５】
（２）モニタ付き街頭情報提供装置３００１は、利用者によってかざされた利用者カード１００１の中にある利用者ＩＤ管理部１００２に予め登録されている利用者ＩＤ１４０１を、リーダー３００４を介して読み取る。なお、利用者ＩＤ１４０１は、利用者を識別する為のユニークに設定されているＩＤであり、予め利用者情報ＤＢ４０２０に、利用者情報として登録されている（ステップ７０２）。
【００６６】
（３）次にモニタ付き街頭情報提供装置３００１は、その装置自身を識別する為の地点ＩＤ１３０１、リーダー３００４にて読み取った利用者ＩＤ１４０１及び利用者がカードをかざした時間である通過日時１５０３（２００５/０８/０３といった形式）からなる通過情報を、通信部３００５を介して、情報処理装置４００１へ送信する。なお、地点ＩＤ１３０１は、モニタ付き街頭情報提供装置３００１をユニークに識別する為のＩＤで、モニタ付き街頭情報提供装置３００１の地点ＩＤ管理部３００６に格納して管理している（ステップ７０３）。
【００６７】
（４）情報処理装置４００１は、通信部４００２を介して、利用者ＩＤ１４０１、地点ＩＤ１３０１及び通過日時１５０３からなる通過情報を受信する（ステップ７０４）。
【００６８】
（５）情報処理装置４００１は、処理部４００３にて、利用者情報ＤＢ４０２０を参照しながら、利用者ＩＤ１４０１の照合を行なう（ステップ７０５）。
【００６９】
（６）情報処理装置４００１は、処理部４００３にて、地図ＤＢ４０１５を参照しながら、地点ＩＤ１３０１の照合を行なう（ステップ７０６）。
【００７０】
（７）情報処理装置４００１は、受信した通過情報を元に、処理部４００３にて、ポイント計算処理を行なう。詳細は図８のフローチャートにて説明する（ステップ７０７）。
【００７１】
（８）情報処理装置４００１は、ポイント計算の結果を元に、処理部４００３にて、周辺ポイント及びインセンティブ画像の取得処理を行なう。詳細は図１１のフローチャートにて説明する（ステップ７０８）。
【００７２】
（９）情報処理装置４００１は、最新ポイント情報、累積ポイント数に応じたインセンティブ画像情報及び最新の周辺ポイント情報からなる画面表示情報を、通信部４００２を介して、モニタ付き街頭情報提供装置３００１へ送信する（ステップ７０９）。
【００７３】
（１０）モニタ付き街頭情報提供装置３００１は、通信部３００５を介して、画面表示情報を受信する（ステップ７１０）。
【００７４】
（１１）モニタ付き街頭情報提供装置３００１は、受信した画面表示情報を、表示部３００３にて表示する（ステップ７１１）。
【００７５】
図８は本実施形態のポイント計算処理の処理手順を示すフローチャートである。図８では、情報処理装置４００１が実行する、ポイント計算処理手順の概要を表しており、これについて説明する。
【００７６】
（１）情報処理装置４００１は、処理部４００３にて一時計算ＤＢ４０３５を参照し、利用者ＩＤ１４０１及び通過日時１５０３に合致する情報があるかどうか照合する。合致する情報があればステップ８０２へ進み、合致する情報がなければステップ８０３へ進む（ステップ８０１）。
【００７７】
（２）情報処理装置４００１は、利用者ＩＤ１４０１及び通過日時１５０３に合致する情報があれば、一時計算ＤＢ４０３５より、各地点におけるポイント数１７０６の計算結果を取得する（ステップ８０２）。
【００７８】
（３）情報処理装置４００１は、指定地点減算ＤＢ４０４５を参照しながら、指定地点におけるポイントの減算処理を行なう。詳細は図９のフローチャートにて説明する（ステップ８０３）。
【００７９】
（４）続いて、情報処理装置４００１は、最短地点加算ＤＢ４０４０を参照しながら、周辺の地点間の距離に応じてポイントの加算処理を行なう。詳細は図１０のフローチャートにて説明する（ステップ８０４）。
【００８０】
（５）次に、情報処理装置４００１は、処理部４００３にて、利用者ＩＤ１４０１に合致する利用者情報を利用者情報ＤＢ４０２０より取得し、個別指定地点１４０９を照合する。未だ計算されてない個別指定地点があればステップ８０６へ進み、個別指定地点１４０９にそもそも情報がない、もしくは、全ての個別指定地点１４０９のポイントを計算済みであれば、ステップ８０９へ進む（ステップ８０５）。
【００８１】
（６）情報処理装置４００１は、ステップ８０５で合致する個別指定地点１４０９があり、かつ、未計算であった場合のみ、この処理を行なう。個別指定地点１４０９の指定が、推奨地点１４０８ではなく回避地点１４１０であればステップ８０７へ、推奨地点１４０８であればステップ８０８へ進む（ステップ８０６）。
【００８２】
（７）情報処理装置４００１は、利用者情報ＤＢ４０２０の回避地点１４１０に合致する地点ＩＤ１３０１のポイントのみを個別に減算する。なお、利用者情報ＤＢ４０２０では、一例として、一律３ポイント減算する設定にしてあるが、減算する数値は点数を減算しても、ポイント数全体を何割増にする計算を行なっても良い。個別指定地点１４０９における減算処理を行なった後はステップ８０５へ戻る（ステップ８０７）。
【００８３】
（８）情報処理装置４００１は、利用者情報ＤＢ４０２０の推奨地点１４０８に合致する地点ＩＤ１３０１のポイントのみを個別に加算する。なお、利用者情報ＤＢ４０２０では、一例として、一律３ポイント加算する設定にしてあるが、加算する数値は点数を加算しても、ポイント数全体を何割増にする計算を行なっても良い。個別指定地点１４０９における加算処理を行なった後はステップ８０５へ戻る（ステップ８０８）。
【００８４】
（９）情報処理装置４００１は、これまでのポイントの計算結果を元に、通過履歴ＤＢ４０２５を作成する。通過履歴ＤＢ４０２５を作成するにあたり、次の情報を格納する。まずモニタ付き街頭情報提供装置３００１を通過した利用者を識別する為の利用者ＩＤ１４０１を１５０１へ、利用者がどこに設置してあるモニタ付き街頭情報提供装置３００１を通過したのかを識別する為の地点ＩＤ１３０１を１５０２へ、利用者が通過した通過日時を１５０３へ、通過した地点ＩＤ１３０１におけるポイントの付加数を１５０４へ、累積ポイント数１５０５にポイント付加数１５０４を加算して算出した値を新しい累積ポイント数として１５０５へ、それぞれ情報を登録する（ステップ８０９）。
【００８５】
（１０）情報処理装置４００１は、利用者が通過した地点ＩＤ１３０１における付加ポイント数を抹消する。これは、利用者が通過したはずの地点に、再度戻ってきてポイントを取得することを防ぐ為の処理である（ステップ８１０）。
【００８６】
（１１）情報処理装置４００１は、処理部４００３にて、今までのポイント計算結果を一時計算ＤＢ４０３５へ登録する。一時計算ＤＢ４０３５には、次のデータを格納するテーブルを持つ。利用者ＩＤ１４０１を格納する１７０１、通過日時１５０３を格納する１７０２及び地図ＤＢ４０１５に登録された全ての地点ＩＤ１３０１に対して計算した結果を格納する各地点におけるポイント数１７０６である。情報処理装置４００１は、利用者ＩＤ１４０１にて利用者別にレコードを管理し、通過日時１５０３の情報を持つことで、利用者が一度通過した地点に再び戻って来ない様に消極的な誘導を行なう（ステップ８１１）。
【００８７】
図９は本実施形態の指定地点減算処理の処理手順を示すフローチャートである。図９では、情報処理装置４００１が実行する、指定地点減算処理の概要を表しており、これについて説明する。
【００８８】
（１）情報処理装置４００１は、外部情報ＤＢ４０１０より、事件等が起きた発生日時１２０２、利用者に通行を回避させるべき要因となる回避理由１２０４、回避すべき地点ＩＤ１２０５、通行を回避させたい回避曜日１２０６、通行を回避させたい回避時間帯１２０７、利用者のうち通行を回避させたい回避対象者１２０８を取得する（ステップ９０１）。
【００８９】
（２）情報処理装置４００１は、利用者が通過したモニタ付き街頭情報提供装置３００１の地点ＩＤ管理部３００６に格納されている地点ＩＤ１３０１と、外部情報ＤＢ４０１０より取得した回避すべき地点ＩＤ１２０５を照合する。地点ＩＤ１３０１と地点ＩＤ１２０５で合致するＩＤがあればステップ９０３へ、合致するＩＤがなければステップ９０６へ進む（ステップ９０２）。
【００９０】
（３）情報処理装置４００１は、利用者が通過したモニタ付き街頭情報提供装置３００１にて管理されていた識別用の地点ＩＤ１３０１と、地図ＤＢ４０１５に登録されている他の全ての地点ＩＤとの間の直線距離を、地図ＤＢ４０１５に登録されている緯度１３０２と経度１３０３を用いて、計算する（ステップ９０３）。
【００９１】
（４）情報処理装置４００１は、ステップ９０３にて算出した地点ＩＤ間の直線距離と回避理由１２０４の情報を元に、外部情報ＤＢ４０１０で管理されていた回避地点１４１０を中心として、同心円状にポイントの減算値を計算する。その際には、指定地点減算ＤＢ４０４５にて予め登録されている減算値を参照する（ステップ９０４）。
【００９２】
（５）情報処理装置４００１は、ステップ９０４にて計算したポイントの減算値について、日時換算ＤＢ４０５０を参照し、減算する理由となった外部情報ＤＢ４０１０に登録されている回避理由１２０４と、その経過日数に応じた割引処理を行なう（ステップ９０５）。
【００９３】
（６）情報処理装置４００１は、処理部４００３にて、一時計算ＤＢ４０３５に登録されている情報と、利用者ＩＤ１４０１との照合を行なう。具体的には、一時計算ＤＢ４０３５に利用者の前回の計算結果が残っているかを、利用者ＩＤ１４０１と一時計算ＤＢ４０３５の利用者ＩＤ情報を格納する利用者ＩＤ１７０１を照合することで、確認する。
【００９４】
利用者ＩＤと合致する情報があれば、次に一時計算ＤＢ４０３５に登録されている通過日時１７０２を確認する。一時計算ＤＢ４０３５に登録してある通過日時が当日中のものであれば、一時計算ＤＢ４０３５の各地点におけるポイント数１７０６へ、ステップ９０５にて計算された減算ポイント数等の情報を上書きする。利用者ＩＤが合致しない場合、または、利用者ＩＤが合致しても、通過日時が異なった場合は、一時計算ＤＢ４０３５に新たなテーブルを作成し、利用者ＩＤ１７０１、通過日時１７０２及び各地点におけるポイント数１７０６を一時計算ＤＢ４０３５へ登録する（ステップ９０６）。
【００９５】
図１０は本実施形態の最短地点加算処理の処理手順を示すフローチャートである。図１０では、情報処理装置４００１が実行する、最短地点加算処理の概要を表しており、これについて説明する。
【００９６】
（１）情報処理装置４００１は、最短地点加算ＤＢ４０４０の情報を取得する（ステップ１００１）。
【００９７】
（２）情報処理装置４００１は、最短地点加算ＤＢ４０４０を参照し、ステップ９０３にて計算した各地点ＩＤの直線距離を元に、利用者が通過したモニタ付き街頭情報提供装置３００１で管理されていた地点ＩＤ１３０１を中心に、近くにある地点ＩＤ１３０１から同心円状に加算ポイントを付加していく（ステップ１００２）。
【００９８】
（３）情報処理装置４００１は、処理部４００３にて、目的地誘導ＤＢ４０５５を参照し、利用者の設定した目的地（実施形態では学校もしくは自宅）までの距離に応じて、ポイントの加算処理を行なう（ステップ１００３）。
【００９９】
（４）情報処理装置４００１は、処理部４００３にて、一時計算ＤＢ４０３５に登録されている情報と、利用者ＩＤ１４０１との照合を行なう。具体的には、一時計算ＤＢ４０３５に利用者の前回の計算結果が残っているかを、利用者ＩＤ１４０１と一時計算ＤＢ４０３５の利用者ＩＤ情報を格納する利用者ＩＤ１７０１を照合することで、確認する。
【０１００】
利用者ＩＤと合致する情報があれば、次に一時計算ＤＢ４０３５に登録されている通過日時１７０２を確認する。一時計算ＤＢ４０３５に登録してある通過日時が当日中のものであれば、一時計算ＤＢ４０３５の各地点におけるポイント数１７０６へ、ステップ１００２にて計算された加算ポイント数の情報を上書きする。利用者ＩＤが合致しない場合、または、利用者ＩＤが合致しても、通過日時が異なった場合は、一時計算ＤＢ４０３５に新たなテーブルを作成し、利用者ＩＤ１７０１、通過日時１７０２及び各地点におけるポイント数１７０６を一時計算ＤＢ４０３５へ登録する（ステップ１００４）。
【０１０１】
図１１は本実施形態のインセンティブ画像情報取得処理の処理手順を示すフローチャートである。図１１では、情報処理装置４００１が実行する、周辺ポイント及びインセンティブ画像情報取得処理の概要を表しており、これについて説明する。
【０１０２】
（１）情報処理装置４００１は、処理部４００３にて、利用者における最新の累積ポイント数を取得する（ステップ１１０１）。
【０１０３】
（２）また、情報処理装置４００１は、インセンティブコースＤＢ４０３０を参照し、利用者の取得ポイント数に応じたインセンティブ情報を、インセンティブ内容及びポイント数１６０６より取得する（ステップ１１０２）。
【０１０４】
（３）最後に、情報処理装置４００１は、一時計算ＤＢ４０３５を参照し、地図ＤＢ４０１５に登録されている全ての各地点におけるポイント数１７０６を取得する（ステップ１１０３）。
【０１０５】
前記の様に本実施形態のインセンティブ付き経路支援システムでは、第１に、全利用者に対して効力を発揮する回避箇所の設定と、設定した利用者のみに効力を発揮する回避箇所を分けることで、利用者全体への誘導と利用者単独の誘導を同時に成立させることが可能である。第２に、時間の経過によって危険箇所の優先度を下げられる構成にしたことで、より現実に即した回避誘導を行なうことが可能である。第３に、危険であると認定された箇所だけでなく、その周辺に対しても同心円状に危険度合を反映させることで、より利用者の安全性を確保させることが可能である。
【０１０６】
以上説明した様に本実施形態のインセンティブ付き経路支援システムによれば、経路上の各地点について回避地点との距離に応じて算出したポイントを設定し、周辺地点のポイントと累積ポイントに応じたインセンティブ画像を表示するので、小中学生等の利用者にとって回避すべき危険な箇所を避け、通過を促進させたい箇所に積極誘導をすることで、小中学生等の利用者が安全な経路を選択し、学校や自宅等といった目的地に安全かつ効率良く到達できる様に、経路の選択を支援することが可能である。
【図面の簡単な説明】
【０１０７】
【図１】本実施形態のインセンティブ付き経路支援システムの概略構成を示す図である。
【図２】本実施形態のインセンティブ付き経路支援システム１０００における利用シーンのイメージを示す図である。
【図３】本実施形態のモニタ付き街頭情報提供装置３００１における画面の表示例を示す図である。
【図４】本実施形態のモニタ付き街頭情報提供装置３００１の設置イメージを示す図である。
【図５】本実施形態の新規利用者の利用者情報を利用者情報ＤＢ４０２０へ登録する為の処理手順を示すフローチャートである。
【図６】本実施形態の新規の外部情報を外部情報ＤＢ４０１０へ登録する為の処理手順を示すフローチャートである。
【図７】本実施形態のポイント表示処理の処理手順を示すフローチャートである。
【図８】本実施形態のポイント計算処理の処理手順を示すフローチャートである。
【図９】本実施形態の指定地点減算処理の処理手順を示すフローチャートである。
【図１０】本実施形態の最短地点加算処理の処理手順を示すフローチャートである。
【図１１】本実施形態のインセンティブ画像情報取得処理の処理手順を示すフローチャートである。
【図１２】本実施形態の外部情報ＤＢ４０１０の例を示す図である。
【図１３】本実施形態の地図ＤＢ４０１５の例を示す図である。
【図１４】本実施形態の利用者情報ＤＢ４０２０の例を示す図である。
【図１５】本実施形態の通過履歴ＤＢ４０２５の例を示す図である。
【図１６】本実施形態のインセンティブコースＤＢ４０３０の例を示す図である。
【図１７】本実施形態の一時計算ＤＢ４０３５の例を示す図である。
【図１８】本実施形態の最短地点加算ＤＢ４０４０の例を示す図である。
【図１９】本実施形態の指定地点減算ＤＢ４０４５の例を示す図である。
【図２０】本実施形態の日時換算ＤＢ４０５０の例を示す図である。
【図２１】本実施形態の目的地誘導ＤＢ４０５５の例を示す図である。
【符号の説明】
【０１０８】
１０００…インセンティブ付き経路支援システム、１００１…利用者カード、１００２…利用者ＩＤ管理部、２００１…登録者端末、２００２…制御部、２００３…表示部、２００４…通信部、２００５…入力部、３００１…モニタ付き街頭情報提供装置、３００２…制御部、３００３…表示部、３００４…リーダー、３００５…通信部、３００６…地点ＩＤ管理部、４００１…情報処理装置、４００２…通信部、４００３…処理部、４００４…制御部、４０１０…外部情報ＤＢ、４０１５…地図ＤＢ、４０２０…利用者情報ＤＢ、４０２５…通過履歴ＤＢ、４０３０…インセンティブコースＤＢ、４０３５…一時計算ＤＢ、４０４０…最短地点加算ＤＢ、４０４５…指定地点減算ＤＢ、４０５０…日時換算ＤＢ、４０５５…目的地誘導ＤＢ、５００１…インターネットIN、３０１〜３０４…表示部、４０１…表示例、１２０１…外部情報ＩＤ、１２０２…発生日時、１２０３…発生曜日、１２０４…回避理由、１２０５…地点ＩＤ、１２０６…回避曜日、１２０７…回避時間帯、１２０８…回避対象者、１３０１…地点ＩＤ、１３０２…緯度、１３０３…経度、１３０４…車線数、１３０５…歩道の有無、１４０１…利用者ＩＤ、１４０２…氏名、１４０３…パスワード、１４０４…ニックネーム、１４０５…学年、１４０６…性別、１４０７…連絡先、１４０８…推奨地点、１４０９…個別指定地点、１４１０…回避地点、１４１１…インセンティブコースＩＤ、１４１２…学校、１４１３…開始・終了地点ＩＤ、１４１４…自宅、１５０１…利用者ＩＤ、１５０２…地点ＩＤ、１５０３…通過日時、１５０４…ポイント付加数、１５０５…累積ポイント数、１６０１…インセンティブコースＩＤ、１６０２…インセンティブコース名、１６０３〜１６０５…ポイント数、１６０６…インセンティブ内容及びポイント数、１６０７〜１６０９…ポイント数、１７０１…利用者ＩＤ、１７０２…通過日時、１７０３〜１７０５…地点、１７０６…各地点におけるポイント数、１８０１…地点ＩＤ間の直線距離、１８０２…加算ポイント、１９０１…回避地点から地点ＩＤまでの距離、１９０２…不審者、１９０３…交通量増大、１９０４…回避理由、１９０５…繁華街、１９０６…溜池等、１９０７…ひったくり、２０１１…回避理由、２０１２〜２０１４…経過期間、２０１５…減算割合、２０１６〜２０１８…経過期間、２１０１…スタート地点ＩＤからゴール地点ＩＤまでの距離、２１０２…ポイント加算の割合。
【図１】
2007192549.tif 000003
【図２】
2007192549.tif 000004
【図３】
2007192549.tif 000005
【図４】
2007192549.tif 000006
【図５】
2007192549.tif 000007
【図６】
2007192549.tif 000008
【図７】
2007192549.tif 000009
【図８】
2007192549.tif 000010
【図９】
2007192549.tif 000011
【図１０】
2007192549.tif 000012
【図１１】
2007192549.tif 000013
【図１２】
2007192549.tif 000014
【図１３】
2007192549.tif 000015
【図１４】
2007192549.tif 000016
【図１５】
2007192549.tif 000017
【図１６】
2007192549.tif 000018
【図１７】
2007192549.tif 000019
【図１８】
2007192549.tif 000020
【図１９】
2007192549.tif 000021
【図２０】
2007192549.tif 000022
【図２１】
2007192549.tif 000023